(57)【要約】【解決手段】容器クロージャ１０は、製品面１４及び需要者面１６を有する略平らな本体１２を含んでいる。本体１２は、容器開口部２０を含んでいる。容器開口部２０はシフト材料ライン３０を含んでいる。【選択図】図３４Ｄ
2019529259.tif 000002
【特許請求の範囲】
【請求項１】
容器クロージャ（１０）であって、
製品面（１４）及び需要者面（１６）を有する略平らな本体（１２）を備えており、
前記容器クロージャの本体（１２）は、容器開口部（２０）を規定しており、
前記容器クロージャの本体（１２）は、シフト材料ライン（３０）を含んでいる、容器クロージャ。
【請求項２】
前記シフト材料ライン（３０）は、リリーフライン（１０６）、シャーライン（１０２）、隠れシャーライン（１０４）、ランスライン（１００）、又は混合ライン（１１０）のうちの１つである、請求項１に記載の容器クロージャ。
【請求項３】
前記容器クロージャの本体（１２）は、エンドパネル（２２）及びティアパネル（２４）を含んでおり、
前記シフト材料ライン（３０）は前記ティアパネル（２４）を規定する、請求項１に記載の容器クロージャ。
【請求項４】
前記ティアパネル（２４）は、前記エンドパネル（２２）に対して上向きシフト、下向きシフト、中立シフト、又は混合シフトのうちの１つを有する、請求項３に記載の容器クロージャ。
【請求項５】
前記シフト材料ライン（３０）は、ごく僅かなシフト、最小シフト、中程度シフト、最大シフト、又は離間したシフトのうちの１つであるシフトを有する、請求項４に記載の容器クロージャ。
【請求項６】
前記シフト材料ライン（３０）は分離面を規定し、
前記分離面は、上向き面、垂直面、下向き面、又は混合面のうちの１つである、請求項４に記載の容器クロージャ。
【請求項７】
前記容器開口部（２０）はシーラント（１８０）を含んでおり、
前記シーラント（１８０）は前記シフト材料ライン（３０）に配置されている、請求項１に記載の容器クロージャ。
【請求項８】
前記シーラント（１８０）は、
前記容器クロージャの製品面（１４）に、前記容器クロージャの需要者面（１６）に、又は前記容器クロージャの製品面（１４）及び前記容器クロージャの需要者面（１６）の両方の何れかに配置される、請求項７に記載の容器クロージャ。
【請求項９】
前記容器クロージャの本体（１２）が、前記シフト材料ライン（３０）に隣接したシーラント凹部（１８２）を規定する、請求項８に記載の容器クロージャ。
【請求項１０】
前記容器クロージャの本体（１２）は、斜め部分を含んでおり、
前記シフト材料ライン（３０）は前記斜め部分に配置されている、請求項１に記載の容器クロージャ。
【請求項１１】
略平らなブランクから容器クロージャ（１０）を形成するためのツーリングアセンブリ（５２０）であって、
前記容器クロージャ（１０）は、製品面（１４）及び需要者面（１６）を有する略平らな本体（１２）を含んでおり、
前記ツーリングアセンブリ（５２０）は、幾つかのシフト材料ライン形成ステーションを含む幾つかの形成ステーション（５３０）を備えており、
各シフト材料ライン形成ステーションは、シフト材料ライン（３０）を形成するように構成されている、ツーリングアセンブリ。
【請求項１２】
前記幾つかのシフト材料ライン形成ステーションのうちの少なくとも１つは、リリーフライン（１０６）、シャーライン（１０２）、ランスライン（１００）、又は混合ライン（１１０）のうちの１つを形成するように構成されている、請求項１１に記載のツーリングアセンブリ。
【請求項１３】
各シフト材料ライン形成ステーションは、上側ツーリング（５２２）及び下側ツーリング（５２４）を含んでおり、
前記上側ツーリング（５２２）は、前記下側ツーリング（５２４）から離間している、開いた第１の位置と、前記上側ツーリング（５２２）が前記下側ツーリング（５２４）に隣接して配置されている、閉じた第２の位置との間で移動するように構成されており、
前記上側ツーリング（５２２）は外側パンチ（７２３）を含んでおり、
前記下側ツーリング（５２４）は、外側アンビル（７２５）及び内側アンビル（７２６）を含んでおり、
前記下側ツーリングの外部アンビル（７２５）は形成面（７３２）を含んでおり、
前記下側ツーリングの外側アンビルの形成面（７３２）は、平らな面を概ね規定しており、
前記下側ツーリングの内側アンビル（７２６）は形成面（７３４）を含んでおり、
前記下側ツーリングの内側アンビルの形成面（７３４）は、平らな面を概ね規定しており、
前記上側ツーリングの外側パンチ（７２３）と前記下側ツーリングの外側アンビル（７２５）とは、外側構成要素（７１２）であり、
前記下側ツーリングの内側アンビル（７２６）は、内側構成要素（７１０）であり、
前記外側構成要素（７１２）は、前記内側構成要素（７１０）に対して、前記外側アンビルの形成面（７３２）と前記内側アンビルの形成面（７３４）とが概ね平行である第１の形成位置と、前記外側アンビルの形成面（７３２）が前記内側アンビルの形成面（７３４）に対してシフトしている第２の形成位置との間で移動するように構成されており、
前記外側構成要素（７１２）は、前記第１の形成位置から前記第２の形成位置へ移動し、
前記外側構成要素（７１２）が前記第１の位置から前記第２の位置へ移動すると、シフト材料ライン（３０）が前記ブランクに形成される、請求項１１に記載のツーリングアセンブリ。
【請求項１４】
前記外側構成要素（７１２）が前記第１の形成位置から前記第２の形成位置に移動すると、前記外側構成要素（７１２）は、ごく僅かな距離、最小距離、中程度距離、最大距離、又は離間した距離のうちの１つを移動する、請求項１３に記載のツーリングアセンブリ。
【請求項１５】
前記幾つかのシフト材料ライン形成ステーションのうちの少なくとも１つは、前記外側構成要素（７１２）が前記第１の形成位置から前記第２の形成位置へ移動すると、リリーフライン（１０６）、シャーライン（１０２）、ランスライン（１００）、又は混合ライン（１１０）のうちの１つを形成するように構成されている、請求項１４に記載のツーリングアセンブリ。
【請求項１６】
前記幾つかの形成ステーションは、リリーフスコアステーションを含んでおり、
前記リリーフスコアステーションは、前記シフト材料ライン（３０）にスコアを形成するように構成されている、請求項１１に記載のツーリングアセンブリ。
【請求項１７】
容器クロージャ（１０）に容器開口部（２０）を形成する方法であって、
製品面（１４）及び需要者面（１６）を含んでおり、初期厚さを有する略平らな金属ブランクを用意する工程（１０００）と、
容器開口部（２０）を規定するシフト材料ライン（３０）を形成する工程（１４０２）と、
を含む、方法。
【請求項１８】
前記シフト材料ラインを形成する工程（１４０２）は、前記シフト材料ラインにシーリング材を塗布する工程（１４１０）を含む、請求項１７に記載の方法。
【請求項１９】
前記シフト材料ラインを形成するステップ（１４０２）は、リリーフライン、シャーライン、隠れシャーライン、ランスライン、又は混合ラインのうちの１つを形成する工程（１４２０）を含む、請求項１７に記載の方法。
【請求項２０】
前記シフト材料ラインを形成する工程（１４０２）は、
前記ブランクにティアパネル及びエンドパネルを規定する工程（１４５０）と、
前記ティアパネルを、上向き位置、通常位置、下向き位置、又は混合位置のうちの１つに移動させる工程（１４５２）と、
を含む、請求項１７に記載の方法。
【発明の詳細な説明】
【技術分野】
【０００１】
［関連出願の相互参照］
本出願は、２０１６年９月６日に出願された米国仮特許出願第６２／３８３，９７０号「ＴＯＯＬＩＮＧ  ＡＮＤ  ＡＳＳＯＣＩＡＴＥＤ  ＭＥＴＨＯＤ  ＦＯＲ  ＭＡＫＩＮＧ  ＶＥＮＴＥＤ  ＰＵＳＨ  ＢＵＴＴＯＮ  ＣＬＯＳＵＲＥ」と、２０１７年６月２２日に出願された米国仮特許出願第６２／５２３，３１０号「ＣＯＮＴＡＩＮＥＲ  ＣＬＯＳＵＲＥ  ＷＩＴＨ  ＳＨＩＦＴＥＤ  ＭＡＴＥＲＩＡＬ  ＬＩＮＥ  ＡＮＤ，  ＴＯＯＬＩＮＧ  ＡＮＤ  ＡＳＳＯＣＩＡＴＥＤ  ＭＥＴＨＯＤ  ＦＯＲ  ＭＡＫＩＮＧ  Ａ  ＣＬＯＳＵＲＥ」とについて、優先権を主張する。
【０００２】
［発明の分野］
開示されており、且つ特許請求の範囲に記載の概念は、金属容器クロージャに関しており、より詳細には、シフト材料ライン（shifted material line）を含む容器クロージャに関する。
【背景技術】
【０００３】
金属容器クロージャ、又は缶エンドは、容器本体によって規定された実質的に密閉される空間を閉じるように構成された構造体である。ある実施形態では、容器は、飲料容器であって、飲料缶ボディと飲料缶容器クロージャ（即ち、飲料缶エンド）とを含んでいる。即ち、容器本体は、限定ではないが、炭酸飲料用の缶ボディなどの飲料缶ボディであって、以後、ここでは、飲料缶ボディとする。飲料缶ボディは、上方に付随した側壁を有する底部又は基部を含む。基部と側壁は実質的に囲まれた空間を規定する。飲料缶ボディが液体で満たされた後、容器クロージャである飲料缶エンドは、飲料缶ボディに連結される。缶エンドは、容器開口部を含んでいる。つまり、缶エンドは、エンドパネルとティアパネル（tear panel）を含んでいる。エンドパネルは缶エンドの大部分を含み、略平らである。ティアパネルは容器開口部を規定する。即ち、ティアパネルは、スコアラインによって規定されたエンドパネルの小部分である。スコアラインはエンドパネルの材料を弱くする。知られているように、リフトタブは、ティアパネルに隣接してエンドパネルに連結される。リフトタブが作動する、即ち持ち上げられると、リフトタブの一部がティアパネルと係合し、ティアパネルをエンドパネルに対して移動させる。ティアパネルがエンドパネルに対して移動すると、ティアパネルとエンドパネルはスコアラインで分離する。知られているように、スコアラインはティアパネル周りに完全には延びていない。この構成では、ティアパネルをエンドパネルに繋げる接続タブがある。故に、ティアパネルは、飲料缶ボディ内に落ちるのではなく、消費者が容器開口部を介して液体を飲むことができるように飲料缶ボディの方に曲がる。
【０００４】
別の実施形態では、容器は、食品缶ボディと食品缶容器クロージャ（即ち、食品缶エンド）とを含む食品用容器である。即ち、容器本体は、限定ではないが、イワシ用の缶ボディなどの食品用缶ボディであり、以後、ここでは、食品用缶ボディとする。食品用缶ボディはまた、底部又は基部を含んでおり、底部又は基部は、上方に付随した側壁を有する。基部と側壁は実質的に囲まれる空間を規定する。食品缶ボディが食品、例えばイワシで満たされた後、食品缶エンドは食品缶ボディに連結される。前述のように、この実施形態では、食品缶エンドはエンドパネルとティアパネルを含んでおり、ティアパネルはスコアラインによって規定される。しかしながら、この実施形態では、エンドパネルは実質的に食品缶エンドの周辺部分であって、ティアパネルは大きな中央部である。プルタブが、スコアラインに隣接してティアパネルに連結される。
知られているように、プルタブは、スコアラインに最初の切れ目を作るために持ち上げられて、その後、ティアパネルをエンドパネルから分離するために引っ張られる。
【０００５】
別の実施形態では、容器はガラスジャーである。そのガラスジャーは、基部と上方に付随する側壁とを含んでいる。側壁の遠位部は雄ねじを含んでいる。この実施形態では、容器クロージャはツイストラグ（twist lug）であり、又は、本明細書に言う「蓋（lid）」である。即ち、「蓋」とは、ジャーに取外し可能に連結するように構成されたクロージャを意味しており、略平らな頂部と、雌ねじ部を有する付随した側壁とを含んでいる。知られているように、ガラスジャーに貯蔵された食品は、通常、内容物を滅菌／調理するために何らかの処理レトルト（加熱／冷却）を必要とする。このプロセスでは、冷却プロセス中に製品が真空に曝される。この真空は、蓋クロージャの下側を負圧に曝すので、それによって、クロージャを開けたりジャーからひねったりすることが困難になる。この問題に対する１つの解決策は、ジャーに押しボタンを設けることである。即ち、押しボタンは、アクセスのために隆起したティアパネルの一種である。上述の缶エンドと同様に、蓋は、エンドパネルとティアパネルを規定する。ティアパネルは、押しボタンである隆起部を含む。更に、弓状のスコアラインがティアパネルを規定する。使用者がジャーを開ける場合、使用者はボタンを押し、ティアパネルをスコアラインで引き裂いて密閉空間に大気が入ることを可能にし、それによって蓋の取り外しがより容易になる。
【０００６】
上述の容器クロージャの各々において、ティアパネル、ひいては容器開口部は、スコアラインで規定される。スコアラインは、ブランクと係合するブレードを用いて形成される。ブレードは、スコアラインにて金属を薄くする。即ち、ツーリングアセンブリにおいて、上側ツーリングはブレードを含んでおり、下側ツーリングは、ブレードの反対側にあるアンビルを含んでいる。金属ブランクは、上側ツーリングと下側ツーリングとの間に配置される。上側ツーリングと下側ツーリングとが合わせられると、ブレードはブランクの上面と係合して金属を変形させる。即ち、ブレードの下側の金属がブレードの両側に流れて、それによってスコアラインである薄肉部が生じる。
【０００７】
スコアラインの形成には、欠点がある。例えば、容器クロージャの厚さは、スコアラインの領域では一定ではない。この厚さの変化は、圧力に曝されたときに金属の特性を変えるので、クロージャを設計する際に考慮しなければならない。更に、成形中に、スコアラインから流れ出る金属及び流れている金属は、容器クロージャの形状に望ましくない変化を引き起こす可能性がある。更に、スコアラインによって形成されるティアパネルを有する容器クロージャは、限定ではないが、子供や高齢者など、一部の人々にとっては開けるのが難しい。即ち、スコアラインは、ある種の人々が容器を容易に開けることを可能にするのに十分なほどには金属を弱めない。更に、本明細書に記載の欠点は、金属容器クロージャに関するものであることに留意されたい。
【０００８】
これらの欠点の各々は、容器クロージャに関する問題である。それ故に、これらの問題に対処する容器クロージャの改良に対する要求がある。
【発明の概要】
【０００９】
開示されており且つ特許請求の範囲に記載された概念は、製品面と需要者面とを有する略平らな本体を含む容器クロージャを提供する。本体は容器開口部を含んでいる。容器開口部はシフト材料ラインを含んでいる。
【００１０】
本明細書では、「シフト材料ライン」とは、ラインの一方の側にあって、第１の平面内にある、又はかつては第１の平面内にあった材料の第１の部分と、ラインの反対側にあって、第１の平面内にあったが現在は第２の平面にある、又は、第１の平面から移動して第１平面に戻されている材料の第２の部分と、によって定義されるラインを意味する。更に、「シフト材料ライン」であるために、そのラインは、「太ライン」、「中ライン」、又は「細ライン」のうちの１つである幅を有する。容器クロージャ上で、ラインの幅は、容器クロージャの平面に対して概ね垂直な場所から、ラインと同じ平面内で測定される。更に、「シフト材料ライン」は、最終的に開口部を形成するティアパネルを規定する。即ち、「シフト材料ライン」は、平面体の凹部又は他の部分によっては規定されず、当該凹部又は他の部分は、平面体のその他の部分とは異なる平面内にあって、凹部はティアパネルではなく、凹部は開口部にならない。更に、「シフト材料ライン」であるためには、「シフト材料ライン」は金属で形成されなければならない。即ち、プラスチック、ポリ材料、又は同様の材料のティアパネルは、「シフト材料ライン」によって形成することはできない。シフト材料ラインの形成は、シフト材料ラインにおける金属を弱めて、それによって使用者がティアパネルをエンドパネルから分離することを可能にすることは理解される。スコアラインは、それだけでは、本明細書における「シフト材料ライン」ではない。
【００１１】
ある実施形態では、シフト材料ラインは、シフトした平面によって規定されたラインにわたって、その上に、又はその直ぐ隣に配置されたスコアラインを含んでいる。この実施形態では、そして本明細書では、シフト材料ラインは「リリーフライン（relief line）」である。即ち、本明細書では、「リリーフライン」とは、そのラインの一方の側にあって、第１の平面内にある、又はかつては第１の平面内にあった材料の一部と、そのラインの反対側あって、第２の平面内にある、又はかつては第２の平面内にあった材料の別の部分とによって規定されたラインであって、シフト材料スコアラインがそのシフト材料ライン上に、又はその直ぐ隣に配置されている、ラインを意味する。
【００１２】
別の実施形態では、シフト材料ラインは「シャーライン（shear line）」である。本明細書では、「シャーライン」とは、ラインの一方の側にあって、第１の平面内にある、又はかつては第１の平面内にあった材料の一部と、ラインの反対側にあって、第２の平面内にある、又はかつては第２の平面内にあった材料の別の部分とで規定され、シフト材料ラインの金属は分離されていないラインを意味する。即ち、シフト材料ラインの夫々の側の材料が異なる平面内にあることを可能にするように、シフト材料ラインの材料は引き伸ばされるか、そうでなければ変形される。故に、本明細書では、シフト材料ラインの夫々の側の材料が異なる平面に残る実施形態では、「シャーライン」にある材料は、一方の平面から他方の平面に移行する。更に、本明細書では、「隠れシャーライン（hidden shear line）」は、シフト材料ラインの両側に配置された材料が実質的に同じ平面にあることを除いて、実質的なシャーラインである。
【００１３】
別の実施形態では、シフト材料ラインは「ランスライン（lance line）」である。本明細書では、「ランスライン」とは、ラインの一方の側にあって、第１の平面内にある、又はかつては第１の平面内にあった材料の一部と、ラインの他方の側にあって、第２の平面内にある、又はかつては第２の平面内にあった材料の別の部分によって規定されたラインであって、シフト材料ラインの金属は分離されている、ラインを意味する。故に、本明細書では、シフト材料ラインの夫々の側の材料が異なる平面に残る実施形態では、「ランスライン」の材料は、一方の平面から他方の平面にオフセットしている。
【００１４】
別の実施形態では、シフト材料ラインは「混合ライン（mingled line）」である。本明細書では、「混合ライン」は、リリーフライン、シャーライン、隠れシャーライン及び／又はランスラインの任意の組合せによって定義されるラインを意味する。
【００１５】
このようにして、本明細書では、シフト材料ライン、リリーフライン、シャーライン、隠れたシャーライン、ランスライン、又は混合ライン、並びに、以下に開示されるエンドパネル及びティアパネル、更には、それらの副構成要素も、金属及び／又は金属合金でできている。しかしながら、以下で論じるシーラントは、金属及び／又は金属合金以外の材料で作られてよい。故に、本明細書では、金属／金属合金で作られていない構成物は、シフト材料ライン、リリーフライン、シャーライン、隠れたシャーライン、ランスライン、又は混合ライン、エンドパネル及びティアパネル、更には、それらの副構成要素ではない。
【図面の簡単な説明】
【００１６】
本発明の完全な理解は、添付の図面と併せて読むことで、以下の好ましい実施形態の記載から得ることができる。
【００１７】
【図１】図１は、容器クロージャの等角図である。
【図２】図２は、容器クロージャの上面図である。
【図３】図３は、シフト材料ラインの概要を示す断面図である。
【図４】図４は、シフト材料ラインの概要を示す別の断面図である。
【図５】図５は、シフト材料ラインの概要を示す別の断面図である。
【図６】図６は、シフト材料ラインの概要を示す別の断面図である。
【図７】図７は、混合シフトを有するシフト材料ラインの概要を示す側面図である。
【図８】図８は、シフト材料ラインの概要を示す別の断面図である。
【図９】図９は、シフト材料ラインの概要を示す別の断面図である。
【図１０】図１０は、シフト材料ラインの概要を示す別の断面図である。
【図１１】図１１は、シフト材料ラインの概要を示す別の断面図である。
【図１２】図１２は、シフト材料ラインの概要を示す別の断面図である。
【図１３】図１３は、シフト材料ラインの概要を示す別の断面図である。
【図１４】図１４は、シフト材料ラインの概要を示す別の断面図である。
【図１５】図１５は、シフト材料ラインの概要を示す別の断面図である。
【図１６】図１６は、シフト材料ラインの概要を示す別の断面図である。
【図１７】図１７は、シーラントを有するシフト材料ラインによって規定されたボタンを有する蓋の概要を示す断面図である。
【図１８】図１８は、シフト材料ラインを形成するツーリングアセンブリの概要を示す断面図である。
【図１８Ａ】図１８Ａは、図１８のシフト材料ラインの詳細図である。
【図１９】図１９は、プレスアセンブリの第１ステージのバブル（bubble）ステーションの概要を示す断面図である。
【図１９Ａ】図１９Ａは、ブランクに作用しようとしているプレスアセンブリの第１ステージのバブルステーションの詳細図である。
【図１９Ｂ】図１９Ｂは、ブランクにバブルを形成しているプレスアセンブリの第１ステージのバブルステーションの詳細図である。
【図１９Ｃ】図１９Ｃは、第１ステージのバブルステーションで成形した後のブランクの側断面図である。
【図２０】図２０は、プレスアセンブリの第２ステージのバブルステーションの断面図である。
【図２０Ａ】図２０Ａは、ブランクに作用しようとしているプレスアセンブリの第２ステージのバブルステーションの詳細図である。
【図２０Ｂ】図２０Ｂは、ブランクにバブルを形成しているプレスアセンブリの第２ステージのバブルステーションの詳細図である。
【図２０Ｃ】図２０Ｃは、第２ステージのバブルステーションで成形した後におけるブランクの側断面図である。
【図２０Ｄ】図２０Ｄは、第２ステージのバブルステーションで成形した後における中央にバブルがあるブランクの側断面図である。
【図２０Ｅ】図２０Ｅは、第２ステージのバブルステーションで成形した後におけるオフセットしたバブルを有するブランクの側断面図である。
【図２１】図２１は、プレスアセンブリの第１ステージのボタンステーションの断面図である。
【図２１Ａ】図２１Ａは、ブランクに作用しようとしているプレスアセンブリの第１ステージのボタンステーションの詳細図である。
【図２１Ｂ】図２１Ｂは、ブランクに第１ステージのボタンを形成しているプレスアセンブリの第１ステージのボタンステーションの詳細図である。
【図２１Ｃ】図２１Ｃは、第１ステージのボタンステーションで成形した後における第１ステージのボタンを有するブランクの第１の側断面図である。
【図２１Ｄ】図２１Ｄは、第１ステージのボタンステーションで成形した後における第１ステージのボタンを有するブランクの第２の側断面図である。
【図２２】図２２は、プレスアセンブリの第２ステージのボタンステーションの断面図である。
【図２２Ａ】図２２Ａは、ブランクに作用しようとしているプレスアセンブリの第２ステージのボタンステーションの詳細図である。
【図２２Ｂ】図２２Ｂは、ブランクに第２ステージのボタンを形成しているプレスアセンブリの第２ステージのボタンステーションの詳細図である。
【図２３】図２３は、プレスアセンブリの第３ステージのボタンステーションの断面図である。
【図２３Ａ】図２３Ａは、ブランクに作用しようとしているプレスアセンブリの第３ステージのボタンステーションの詳細図である。
【図２３Ｂ】図２３Ｂは、ブランクに第３ステージのボタンを形成しているプレスアセンブリの第３ステージのボタンステーションの詳細図である。
【図２４】図２４は、プレスアセンブリのスコアステーションの断面図である。
【図２４Ａ】図２４Ａは、ブランクに作用しようとしているプレスアセンブリのスコアステーションの詳細図である。
【図２４Ｂ】図２４Ｂは、ブランクにスコアを形成しているプレスアセンブリのスコアステーションの詳細図である。
【図２４Ｃ】図２４Ｃは、プレスアセンブリのスコアステーションのスコアブレードの詳細図である。
【図２４Ｄ】図２４Ｄは、スコア及び耐断裂（anti-fracture）スコアを形成しているプレスアセンブリのスコアステーションのスコアブレード及び耐断裂スコアブレードの詳細図である。
【図２４Ｅ】図２４Ｅは、スコア及び耐断裂スコアを形成した後におけるプレスアセンブリのスコアステーションのスコアブレード及び耐断裂スコアブレードの詳細図である。
【図２４Ｆ】図２４Ｆは、スコアを形成しているプレスアセンブリのスコアステーションのスコアブレードの詳細図である。
【図２４Ｇ】図２４Ｇは、スコアを形成した後におけるプレスアセンブリのスコアステーションのスコアブレードの詳細図である。
【図２４Ｈ】図２４Ｈは、プレスアセンブリのスコアステーションののみ型ノーズ（chisel nose）スコアブレードの詳細図である。
【図２４Ｉ】図２４Ｉは、「ネッキング（necking）」の詳細を示す断面図である。
【図２５】図２５は、スコアステーションのツーリングの側断面図である。
【図２６】図２６は、プレスアセンブリのエンボスステーションの断面図である。
【図２６Ａ】図２６Ａは、ブランクに作用しようとしているプレスアセンブリのエンボスステーションの詳細図である。
【図２６Ｂ】図２６Ｂは、ブランクにエンボス加工しているプレスアセンブリのエンボスステーションの詳細図である。
【図２７】図２７は、プレスアセンブリの縁曲げ（hemming）ステーションの断面図である。
【図２７Ａ】図２７Ａは、ブランクに作用しようとしているプレスアセンブリの縁曲げステーションの詳細図である。
【図２７Ｂ】図２７Ｂは、ブランクに縁曲げ加工しているプレスアセンブリの縁曲げステーションの詳細図である。
【図２８Ａ】図２８Ａは、第１ステージのバブルを有するブランクの側断面図である。
【図２８Ｂ】図２８Ｂは、第２ステージのバブルを有するブランクの側断面図である。
【図２８Ｃ】図２８Ｃは、第１ステージのボタンを有するブランクの側断面図である。
【図２８Ｄ】図２８Ｄは、第２ステージのボタンを有するブランクの側断面図である。
【図２８Ｅ】図２８Ｅは、第３ステージのボタンを有するブランクの側断面図である。
【図２８Ｆ】図２８Ｆは、スコアを有するブランクの側断面図である。
【図２８Ｇ】図２８Ｇは、縁曲げされたブランクの側断面図である。
【図２８Ｈ】図２８Ｈは、エンボス加工されたブランクの側断面図である。
【図２９】図２９は、ベントアセンブリを有する蓋の上面図である。
【図３０】図３０は、ベントアセンブリを有する蓋の側断面図である。
【図３０Ａ】図３０Ａは、ベントアセンブリの詳細を示す側断面図である。
【図３１】図３１は、ベントアセンブリを有する蓋の第１の等角図である。
【図３２】図３２は、ベントアセンブリを有する蓋の第２の等角図である。
【図３３】図３３は、ベントアセンブリを有する代替的な蓋の別の等角図である。
【図３４】図３４は、プレスアセンブリのランスステーションの概要を示す断面図である。
【図３４Ａ】図３４Ａは、ブランクに作用しようとしているプレスアセンブリのランスステーションの詳細図である。
【図３４Ｂ】図３４Ｂは、ブランクにバブルを形成しているプレスアセンブリのランスステーションの詳細図である。
【図３４Ｃ】図３４Ｃは、ブランクにランスラインを形成しているプレスアセンブリのランスステーションの詳細図である。
【図３４Ｄ】図３４Ｄは、ブランクにシャーラインを形成しているプレスアセンブリのランスステーションの詳細図である。
【図３５Ａ】図３５Ａは、開示された方法のフローチャートである。
【図３５Ｂ】図３５Ｂは、開示された方法のフローチャートである。
【図３５Ｃ】図３５Ｃは、開示された方法のフローチャートである。
【図３５Ｄ】図３５Ｄは、開示された方法のフローチャートである。
【発明を実施するための形態】
【００１８】
本明細書の図面に示されており、以下の詳細な説明に記載される特定の要素は、開示された概念の単なる例示的な実施形態であって、これらは、例示の目的のためだけに非限定的な例として提供されるものである。従って、本明細書に開示されている実施形態に関する特定の寸法、方向、アセンブリ、使用される構成要素の数、実施形態の構成、及びその他の物理的特性は、開示された概念の範囲を限定すると見なされるべきではない。
【００１９】
本明細書で用いられる方向のフレーズ、例えば、時計回り、反時計回り、左、右、上、下、上方、下方、及びそれらの派生語は、図面に示される要素の向きに関しており、特許請求の範囲で明示的に記載されない限り、特許請求の範囲を限定しない。
【００２０】
本明細書で用いられる単数形は、文脈上明白に他の意味を表さない限り、複数の言及を含む。
【００２１】
本明細書では、「［動詞］するように」は、特定の要素又はアセンブリが、特定の動詞を実行するように形作られ、大きさにされ、配置され、連結され、及び／又は構成された構造を有することを意味する。例えば、「移動するように構成された」部材は、他の要素に移動可能に連結されており、その部材を移動させる要素を、或いは、他の要素又はアセンブリに応答して移動するように構成された要素を含んでいる。このように、本明細書では、「[動詞]するように構成された」は、機能ではなく、構造を記載している。更に、本明細書では、「[動詞]するように構成された」は、特定の要素又はアセンブリが特定の動詞を実行することを意図しており、そのように設計されていることを意味する。故に、特定の動詞を単に実行することができるが、特定の動詞を実行することを意図しておらず、又は、そのように設計されていない要素は、「「動詞」するように構成され」ていない。
【００２２】
本明細書では、「関連する」は、要素が、同じアセンブリの一部であり、及び／又は何らかの方法で互いに作動若しくは作用することを意味する。例えば、自動車は、４つのタイヤ及び４つのハブキャップを有する。全ての要素が自動車の一部として連結されている一方、各ハブキャップが特定のタイヤと「関連する」ことは理解される。
【００２３】
本明細書では、「にて」は、「に接して」及び／又は「の近く」を意味する。
【００２４】
本明細書では、２つ以上の部品又は構成要素が「連結される」という表現は、リンクが生じる限りにおいて、それらの部品が、直接的又は間接的に（即ち、１又は複数の中間部品又は構成要素を通して）互いに接合又は動作することを意味する。本明細書では、「直接連結される」は、２つの要素が互いに直接接触していることを意味する。本明細書では、「固定的に連結される」又は「連結される」は、２つの構成要素が、互いに対して一定の向きを維持しながら１つとして動くように連結されることを意味する。故に、２つの要素が連結される場合、それらの要素の全ての部分が連結される。しかしながら、第１の要素の特定の部分が、第２の要素、例えば、第１の車輪に連結している車軸の第１の端部に連結しているという記載は、第１の要素の特定の部分が、その他の部分よりも第２の要素の近くに配置されることを意味する。更に、別の物体に載っており、重力によってのみ適所に保持されている物体は、上の物体が他の方法で実質的に適所に維持されない限り、下の物体に「連結」されない。即ち、例えば、テーブル上の本は連結されていないが、テーブルに接着された本は連結されている。
【００２５】
本明細書では、「ファスナ」は、２つ以上の要素を連結するように構成された別個の構成要素である。故に、例えば、ボルトは「ファスナ」であるが、さねはぎ（tongue-and-groove）連結は「ファスナ」ではない。即ち、さねはぎ要素は、結合される要素の一部であり、別個の構成要素ではない。
【００２６】
本明細書では、「取外し可能に連結されている」又は「一時的に連結されている」なる言い回しは、ある構成要素が、別の構成要素と、本質的に一時的に連結されていることを意味する。即ち、２つの構成要素は、構成要素同士の接合又は分離が容易であり、且つ構成要素に損傷を与えることのないように連結されている。例えば、限られた数の、容易にアクセス可能なファスナ（即ち、アクセスが困難でないファスナ）によって互いに固定されている２つの構成要素は、「取外し可能に連結されている」が、互いに溶接されており、又はファスナにアクセスするのが困難なように接合されている２つの構成要素は、「取外し可能に連結されて」いない。「ファスナにアクセスするのが困難である」とは、ファスナにアクセスする前に１又は複数の他の構成要素の取外しを必要とする困難であって、「他の構成要素」は、これに限定されないが、ドアのようなアクセス装置ではない。
【００２７】
本明細書では、「一時的に配置される」は、第１の要素の連結を解除する、又は第１の要素を操作する必要なく、第１の要素／アセンブリが動かされるように第２の要素又はアセンブリに連結されることを意味する。例えば、単にテーブルの上に置かれている本、即ちそのブックがテーブルに接着又は固定されていない本は、テーブル上に「一時的に配置される」。
【００２８】
本明細書では、「動作可能に連結される」とは、各々が第１の位置と第２の位置の間、又は第１の構成と第２の構成の間で移動可能な幾つかの要素又はアセンブリが、第１の要素がある位置／構成から別の位置／構成に移動すると、第２の要素も位置／構成間で移動するように連結されることを意味する。第１の要素は、逆を真とすることなく、他の要素に「動作可能に連結され」てもよいことに留意のこと。
【００２９】
本明細書では、「連結アセンブリ」は、２つ以上のカップリング又は連結構成要素を含む。カップリング又は連結アセンブリの構成要素は、通常、同じ要素又は他の構成要素の一部ではない。このため、以下の説明では、「連結アセンブリ」の構成要素が同時に説明されないこともある。
【００３０】
本明細書では、「カップリング」又は「連結構成要素」は、連結アセンブリの１又は複数の構成要素である。即ち、連結アセンブリは、互いに連結するように構成されている少なくとも２つの構成要素を含んでいる。連結アセンブリの構成要素は互いに適合することが理解される。例えば、連結アセンブリにおいて、一方の連結構成要素がスナップソケットである場合、他方の連結構成要素はスナッププラグであり、又は一方の連結構成要素がボルトである場合、他方の連結構成要素はナットである。
【００３１】
本明細書では、「対応する」は、２つの構造的構成要素が互いに類似するような大きさ及び形状にされており、最小量の摩擦で連結され得ることを示している。故に、部材に「対応する」開口は、その部材が最小量の摩擦で開口を通過できるように、部材よりも若干大きい大きさにされる。この定義は、２つの構成要素が、互いに「ぴったり（snugly）」合うようになっている場合は変更される。そのような状況では、構成要素の大きさの差は更に小さくなるので、摩擦の量は増加する。開口を規定する要素及び／又は開口に挿入される構成要素が変形可能又は圧縮可能な材料から作られる場合には、開口は、開口に挿入される構成要素よりもわずかに小さくてもよい。表面、形状、及び線に関して、２つ以上の「対応する」表面、形状、又は線は、概ね同じ大きさ、形状、及び輪郭を有する。
【００３２】
本明細書では、「曲線の」とは、複数の曲がった部分を、曲がった部分と平らな部分の組合せを、又は、互いに対して角度をなして配置され、それによって曲線を形成する複数の平らな部分又はセグメントを有する要素を意味する。本明細書では、「弓状」は、実質的に円形である、即ち円の一部である曲線を意味する。
【００３３】
本明細書では、「板状体」又は「板状部材」は、概ね薄い要素であって、対向しており、広くて概ね平行な表面、即ち、板状部材の平面と、広い平行な表面の間で延びるより薄い端面とを含んでいる。即ち、本明細書では、「板状」要素が２つの対向する平面を有することが本質的である。外周、そして端面は、例えば長方形の板状部材の場合のように概ね真っ直ぐな部分を含んでよく、又は円盤の場合のように曲ってよく、又は他の任意の形状を有してよい。
【００３４】
本明細書では、「移動経路」又は「経路」は、移動する要素と関連して使用される場合に、移動中に要素が通過する空間を含む。このように、移動する要素には、本質的に「移動経路」又は「経路」がある。電流に関連して使用される場合には、「経路」は、電流が通る要素を含む。
【００３５】
本明細書では、２つ以上の部品又は構成要素が互いに「係合する」という表現は、それら要素が、直接に、或いは、１又は複数の中間要素又は構成要素を介して、互いに力を及ぼす又は付勢することを意味する。更に、可動部品に関して本明細書で使用されているように、可動部品は、ある位置から別の位置への移動中に別の要素に「係合」してよく、及び／又は記載された位置に入ると別の要素に「係合」してよい。故に、「要素Ａが要素Ａの第１の位置に移動すると、要素Ａは要素Ｂと係合する」と「要素Ａが要素Ａの第１の位置にあると、要素Ａは要素Ｂと係合する」という表現は、等価な記述であって、要素Ａが、要素Ａの第１の位置に移動する間に要素Ｂと係合すること、及び／又は、要素Ａが、要素Ａの第１の位置にある間において要素Ｂと係合することを意味する。
【００３６】
本明細書では、「動作可能に係合する」は、「係合して移動する」ことを意味する。即ち、移動可能又は回転可能な第２の構成要素を移動させるように構成されている第１の構成要素に関して用いられる場合の「動作可能に係合する」は、第１の構成要素が、第２の構成要素を移動させるのに十分な力を加えることを意味する。例えば、ねじ回しは、ねじと接触して配置されてよい。力がねじ回しに加えられなければ、ねじ回しはねじに「連結されている」だけである。軸方向の力がねじ回しに加えられれば、ねじ回しはねじに対して押し付けられて、ねじと「係合する」。しかしながら、回転力がねじ回しに加えられると、ねじ回しはねじと「動作可能に係合」して、ねじを回転させる。更に、電子部品では、「作動可能に係合する」とは、ある部品が制御信号又は電流によって別の部品を制御することを意味する。
【００３７】
本明細書では、用語「一体の」は、単一の部品又はユニットとして作製された構成要素を意味する。つまり、別々に作製されてから１つのユニットとして互いに連結された部品を含む構成要素は、「一体の」構成又は本体ではない。
【００３８】
本明細書では、用語「幾つか」は、１又は１よりも大きな整数（即ち複数）を意味するものとする。
【００３９】
本明細書では、境界を共有する任意の隣接範囲、例えば、０％〜５％と５％〜１０％、或いは、０．０５インチ〜０．１０インチと０．００１インチ〜０．０５インチ、について、低い範囲の上限、即ち先の例では５％と０．０５インチとは、特定された境界よりも「小さい」ことを意味する。つまり、上記の例では、０％〜５％の範囲は０％〜４．９９９９９９％を意味する。
【００４０】
本明細書では、用語「缶」及び「容器」は、物質（例えば、限定ではないが、液体、食品、他の任意の適切な物質）を含むように構成された既知又は適切な容器を示すために実質的に交換可能に使用され、ビール缶や飲料缶などの飲料用缶、並びに食品用缶を明らかに含むが、これらに限定されない。本明細書では、「［ｘ］は、その第１の位置と第２の位置との間で移動する」、又は、「［ｙ］は、［ｘ］をその第１の位置と第２の位置との間で移動させるように構成される」という言い回しにおいて、［ｘ］は、要素又はアセンブリの名前である。更に、［ｘ］が幾つかの位置の間を移動する要素又はアセンブリである場合、代名詞「その」は、［ｘ］、即ち代名詞「その」の前にある、名前の付いた要素又はアセンブリを意味する。
【００４１】
本明細書では、「［要素、点又は軸］の周りに配置されている」、「［要素、点、又は軸］の周りに延びる」、又は「［要素、点、又は軸］の周りに［Ｘ］度」などの言い回しにおける「周りに」は、囲む、周囲に延びる、又は周囲で測定することを意味する。測定値について又は同様に使用される場合、「約」は、「おおよそ」、即ち当業者によって理解されるように測定値に関連するおおよその範囲内にあることを意味する。
【００４２】
本明細書では、「一般的に」は、当業者によって理解されるように修飾されているであろう用語に関連した「一般的な方式で」を意味する。
【００４３】
本明細書では、「実質的に」は、当業者によって理解されるように修飾されているであろう用語に関連した「大部分」を意味する。
【００４４】
本明細書では、「潰れ（flattened）」ボタンは、断面で見ると、ベース面に対して高い端部とベースラインに対して短い端部とを有する側壁と、側壁の高い端部と側壁の短い端部との間に延びる略平らな上壁とを含む構造である。更に、高い端部における「潰れ」ボタンの側壁は、ベース面に対してある角度で延びている。更に、本明細書では、「円筒形の潰れ」ボタンは、断面に垂直な位置から見ると、概ね円形の外周を有する「潰れ」ボタンである。
【００４５】
本明細書では、「角付（angled）」ボタンは、断面で見ると、ベース面に対して高い端部とベースラインに対して短い端部とを有する側壁と、側壁の高い端部及び側壁の短い端部の間に延びる略平らな上壁と含む構造である。更に、高い端部における「角付」ボタンの側壁は、ベース面に対してほぼ垂直に延びている。更に、本明細書では、「円筒形角付」ボタンは、断面に垂直な位置から見ると、概ね円形の外周を有する「角付」ボタンである。
【００４６】
本明細書では、「制限された高さ」を有する角付ボタンは、それが延びる表面に対して高い端部の高さが約０．０６０から０．０８０の間である角付ボタンである。更に、本明細書では、「非常に制限された高さ」を有する角付ボタンは、それが延びる表面に対して高い端部の高さが約０．０７０である角付ボタンである。更に、本明細書では、「制限された高さ」及び「非常に制限された高さ」は、角付ボタンに関係している。即ち、ドーム状（dome-like）ボタンは、本明細書で定義されるような「制限された高さ」及び「非常に制限された高さ」を有することができない。
【００４７】
本明細書では、「バブルを形成する」とは、略平らな構造にドームを形成することを意味する。即ち、「バブルを形成した」後、得られた構造は「バブル」又は「ドーム」として特定される。
【００４８】
本明細書では、バブル又はドームは、「ドーム丸み（radius）」及び「ベース丸み」の両方を有する。「ドーム丸み」は、略平らな面からドームの突出部を規定する円弧の半径、即ちドーム高さを規定する丸みである。ドームの「ベース丸み」は、ボタンの側壁と、バブル又はドームが延びる面との間での曲率半径である。「ベース丸み」は、ドームの底部で、即ち断面積が最も大きいところで測られる。
【００４９】
本明細書では、円筒状角付ボタンは、「頂部丸み」及び「ベース丸み」を有しており、それらの両方とも、円筒状角付ボタンが突出する略平らな面の平面に対して垂直に見たときの円筒状角付ボタンの丸みである。「頂部丸み」は、その頂部における円筒状角付ボタンの丸みであり、「ベース丸み」は、その底部における円筒状角付ボタンの丸みである。円筒状角付ボタンの頂部の壁は完全な円でない場合もあるので、当業者には理解されるように「丸み」は、「丸み」を近似する測定値であることを理解のこと。「丸み」は、円筒状角付ボタンの底部で、即ち断面積が最大のところで測定される。
【００５０】
本明細書では、円筒状角付ボタンが「鋭い頂部丸み」を有することは、ボタン側壁とボタン頂面との間の曲率半径が約０．０２０乃至０．０６０インチであることを意味する。更に、「非常に鋭い頂部丸み」は、ボタンの側壁とボタンの頂面との間の曲率半径が約０．０４０インチであることを意味する。
【００５１】
本明細書では、円筒状角付ボタンが「鋭いベース丸み」を有することは、ボタン側壁とそれが延びる面との間の曲率半径が、約０．００５インチ乃至０．０２０インチであるということを意味する。更に、「非常に鋭いベース丸み」は、ボタンの側壁とボタンが延びる面との間の曲率半径が約０．００８インチであるということを意味する。
【００５２】
本明細書では、「制限された距離」は、その用語が円筒状角付ボタンの丸みとスコアの間の距離に関して使用される場合には、約０．０インチ（一致又は重複）乃至０．００８インチの間の距離を意味する。本明細書では、「非常に制限された距離」は、その用語が円筒状角付ボタンの丸みとスコアの間の距離に関連して使用される場合、約０．０インチの距離を意味する。
【００５３】
本明細書では、「制限された間隔」は、その用語が主スコアと耐断裂スコアの間の距離に関して使用される場合、約０．０３０インチ乃至０．０５０インチの距離を意味する。本明細書では、「非常に制限された間隔」は、その用語が主スコアと耐断裂スコアの間の距離に対して使用される場合、約０．０４０インチの距離を意味する。
【００５４】
本明細書では、「制限された弧」は、その用語が円筒状角付ボタンの丸みとスコアとの間の距離に関して使用される場合、約２０乃至２００度の間の弧を意味する。本明細書では、「大幅に制限された弧」は、その用語が円筒状角付ボタンの丸みとスコアとの間の距離に関して使用される場合、約３０乃至１８０度の弧を意味する。本明細書では、「非常に制限された弧」は、その用語が円筒状角付ボタンの丸みとスコアとの間の距離に関して使用される場合、約８０度の弧を意味する。
【００５５】
本明細書では、「第２のバブル」は、先のバブル（即ちドーム）から形成されたバブル（即ちドーム）である。従って、略平らな材料から形成されたバブル（即ちドーム）は、「第２のバブル」にはなり得ない。更に、本明細書では、第１のバブル又は同様の構造に最初に形成されることなくして略平らな材料から形成されたバブル（即ちドーム）は、「第２のバブル」ではあり得ない。
【００５６】
本明細書では、「最小スコア残余（residual）」は、約０．０００５インチ乃至０．００２５インチのスコア残余を意味する。本明細書では、「制限されたスコア残余」は約０．００１０インチである。
【００５７】
本明細書では、「縁曲げ（hemming）」とは、開口を通る突起の移動を防止又は阻止するように構成されたタブ又はフランジを形成するように突起を潰す（flatten）ことを意味する。
【００５８】
本明細書では、「ライン」は、経路に沿って点を移動させることによって作られた二次元的な構造を意味しないむしろ、本明細書では、「ライン」は、明確に識別できて、細長くて狭いものを意味する。
【００５９】
本明細書では、「略平らな」は、物体又は部材が概ね「平ら」であることを意味する。即ち、「略平らな」物体又は部材には、凹部、リベットや突起を有しており、それらがその物体又は部材の他の部分と概ね同じ平面にあるような平らな物体が含まれる。更に、「略平らな」物体には、概ね凸状又は凹状の物体又は部材が含まれ、これらは、例えば、チャックウォールやカールなどの要素を含まないある種の飲料缶用容器クロージャ（又は飲料缶エンド）などであるが、これらに限定されない、即ち、エンドパネル２２及びティアパネル２４を規定するクロージャ本体１２の部分は、本明細書におけるように、「略平ら」である。
【００６０】
「ラインの一方の側にあって、第１の平面内にある、又はかつては第１の平面内あった材料の一部と、ラインの反対側にあって、第２の平面内にある、又はかつては第２の平面内あった材料の別の部分」なる記載は、材料の２つの部分がかつては略平ら、即ち、略平らな部材の部分であって、且つ、略平らな部材の平面に対して略垂直に延びる部分の間のラインによって特定することができることを意味する。材料のそれらの部分は、「シフトした材料のライン」が形成される時点で、又はその後において、平らな形状である必要はない。
【００６１】
本明細書では、「製品面」は、限定ではないが食品又は飲料などの製品に接する、又は接し得るような、容器に使用される構造の面を意味する。つまり、「製品面」は、その構造における、最終的に容器内部を規定する面である。
【００６２】
本明細書では、「需要者面」とは、限定ではないが食品又は飲料などの製品に接しない、又は接し得ない、容器で使用される構造体の面を意味する。つまり、構造体の「需要者面」は、その構造体における、最終的に容器の外部を規定する面である。
【００６３】
図１及び図２に示すように、容器クロージャ１０は、製品面１４及び需要者面１６を有する略平らな本体１２を含んでいる。用語「製品面」１４及び「需要者面」１６は、容器クロージャ１０の全ての部分及び／又は要素に適用されることは理解される。即ち、以下に説明するように、容器クロージャ本体１２はティアパネル２４を含んでいる。従って、ティアパネル２４もまた、「製品面」１４及び「需要者面」１６を有する。容器クロージャ１０は概略的に示されており、具体的な容器クロージャ１０に関連した更なる特徴を含んでいない。例えば、容器クロージャ１０は、飲料缶ボディ又は食品缶ボディ（何れも図示せず）に連結されることが意図されており、限定ではないが、カール、チャックウォール、又はビード（何れも図示せず）などの要素を含んでいる。同様に、ジャーに連結されるように意図されている容器クロージャ１０又は蓋は、略平らな部分と、内側のねじ山を有する付随的な側壁とを含む。これらの要素の何れも図示されていない。故に、容器クロージャ１０は概略的に示されており、完全な容器クロージャの一部を表している。更に、容器クロージャ１０の一部は、飲料缶用容器クロージャ（又は飲料缶エンド）、食品缶用容器クロージャ（又は食品缶エンド）、又は蓋の何れかの一部であってよい（何れも図示せず）。容器クロージャ本体１２は、容器開口部２０を含む、即ち規定する。つまり、容器開口部２０は、シフト材料ライン３０によって規定されている。言い換えると、容器クロージャ本体１２及び／又は容器開口部２０は、シフト材料ライン３０を含んでいる。更に、容器クロージャ本体１２は、エンドパネル２２及びティアパネル２４を含んでいる。 概して、また、上記のように、エンドパネル２２は、缶ボディ又はジャー（何れも図示せず）に連結、直接連結、固定、若しくは一時的に連結される容器クロージャ１０の一部である。ティアパネル２４は、容器クロージャ１０の一部であって、エンドパネル２２に対して移動する。従って、ティアパネル２４は容器開口部２０を規定する。即ち、ティアパネル２４がエンドパネル２２に対して動かされると、ティアパネル２４はエンドパネル２２から切り離されるか、又は部分的に切り離されて、容器開口部２０を規定する。ティアパネル２４は、シフト材料ライン３０においてエンドパネル２２から切り離される。従って、シフト材料ライン３０は、ティアパネル２４を規定する。ティアパネル２４は、任意の形状であってよく、限定ではないが、例えば、略楕円形の形状であって、飲料缶用容器クロージャ（又は飲料缶エンド）の容器クロージャ１０の（エンドパネル２２と比較して）比較的小さい部分、略長方形又は円形の形状であって、食品缶用容器クロージャ（又は食品缶エンド）の容器クロージャ１０の（エンドパネル２２と比較して）比較的大きな部分、又は、ボタン６００であってよく、以下で論じるように、略曲線状又は弓状のシフト材料ライン３０が、ボタン６００の周りに部分的に延びる。更に、容器クロージャ１０は、最初に、つまり、実際の成形工程の前において、略平らなブランク（図示せず）である一体的な金属体の一部であることは理解される。
【００６４】
シフト材料ライン３０は、第１の部分３２と第２の部分３４を含んでおり、及び／又は、それらによって規定されている。即ち、第１の部分３２は、シフト材料ライン３０の第１の側に配置され、第２の部分３４は、シフト材料ライン３０の第２の側に配置されている。シフト材料ライン３０は、「太ライン」、「中ライン」、「細ライン」の何れかである。本明細書では、「太ライン」は、０．０１５インチ乃至約０．１００インチの幅を有する。本明細書では、「中ライン」は、０．００５インチ乃至０．０１５インチの幅を有する。本明細書では、「細ライン」は、０．０インチ乃至０．００５インチの幅を有する。本明細書では、０．０インチの幅を有するラインは、当該ラインを規定する材料が分離した、即ち、先に定義した「ランスライン」であるシフト材料ライン３０である。例示の実施形態では、図示のように、第１の部分３２はエンドパネル２２の一部であり、第２の部分３４はティアパネル２４の一部である。例示的な実施形態では、第１の部分３２及び第２の部分３４の各々は、略平らな部分である。図３はランスライン１００を示す。
【００６５】
シフト材料ライン３０がランスライン１００である実施形態では、第１の部分３２は第２の部分３４から分離している。更に、図示されているように、第１の部分３２は、第２の部分３４に対して製品面１４側にオフセットしている。第１の部分３２、即ちエンドパネル２２が、第２の部分３４、即ちティアパネル２４に対して製品面１４側にオフセットしている場合、本明細書では、第２の部分３４（又はティアパネル２４）は、「上向きシフト」を有するとされる。即ち、第２の部分３４、即ちティアパネル２４が概ね需要者面１６側にオフセットしている場合、ティアパネル２４は「上向きシフト」を有する。この実施形態では、この分離が、シフト材料ライン３０を規定する。例示的な実施形態では、以下で説明するように、ツーリングアセンブリ５２０がブランクに作用してブランクの材料を破断させて分離を引き起こすことで、分離が生じる。本明細書では、分離したシフト材料ライン３０は、「破断（fractured）シフト材料ライン」３０である。
【００６６】
別の実施形態では、シフト材料ライン３０はシャーライン１０２である。図示したこの実施形態では、第１の部分３２及び第２の部分３４の各々は、略平らな部分である。更に、図示されているように、第１の部分３２は、第２の部分３４に対して需要者面１６側にオフセットしている。図８及び図９に示すように、第１の部分３２、即ちエンドパネル２２が、第２の部分３４、即ちティアパネル２４に対して需要者面１６側にオフセットしている場合、第２の部分３４（又はティアパネル２４）は、本明細書では、「下向きシフト」を有するとされる。即ち、第２の部分３４、即ちティアパネル２４が概ね製品面１４側にオフセットしている場合、ティアパネル２４は「上向きシフト」を有する。この実施形態では、第１の部分３２と第２の部分３４は分離されていない。故に、シフト材料ライン３０は、第１の部分３２と第２の部分３４の間の移行領域４０によって規定される。移行領域４０の幅は、約０．０インチ乃至０．１００インチ、約０．００５インチ乃至０．０１５インチ、又は約０．０１０インチである。移行領域４０が上記の最も広い範囲よりも広い場合には、オフセット部分は、本明細書における「シフト材料ライン３０」又は「シャーライン」を規定しない。更に、上述したように、移行領域４０は、シフト材料ライン３０又はシャーライン１０２の夫々の側の材料が異なる平面内にあることを可能にするように引き伸ばされているか、さもなければ変形している。
【００６７】
別の実施形態では、図４に示すように、ツーリングアセンブリ５２０は最初に、上述したようにシャーライン１０２を形成するようにシフト材料ライン３０で金属を変形させる。例示的な実施形態では、ツーリングアセンブリ５２０は更に、第１の部分３２及び第２の部分３４を上向きシフトと下向きシフトとの間で複数回シフトさせて、回ごとに、シャーライン１０２で材料を変形させる。次に、ツーリングアセンブリ５２０は、第１の部分３２と第２の部分３４とが概ね同じ平面内にあるようにシャーライン１０２を変形させる。この実施形態では、第１の部分３２と第２の部分３４の間のオフセットは見られないが、材料は、変形されない材料よりも弱くなっている。本明細書では、第１の部分３２と第２の部分３４が概ね同じ平面内にあるシフト材料ライン３０は、「中立（neutral）シフト」を有するとされる。更に、シャーライン１０２の形成後に第１の部分３２と第２の部分３４が概ね同じ平面内にあるシフト材料ライン３０は、本明細書では、「隠れシャーライン」１０４（図５）とされる。隠れシャーライン１０４を表すために、図５は微小破損１０５を誇張して模式的に示す。微小破損１０５が肉眼では見えないことは理解される。
【００６８】
別の実施形態では、図６に示されているように、シフト材料ライン３０はリリーフライン１０６である。図示のこの実施形態では、第１の部分３２及び第２の部分３４の各々は、略平らな部分である。シフト材料ライン３０は、上述したように、隠れシャーライン１０４として形成されている。「リリーフライン」１０６は、ツーリングアセンブリ５２０のブレードによって形成されたシフト材料スコアライン９０を更に含んでいる。シフト材料スコアライン９０は、シフト材料ライン３０、即ち隠れシャーライン１０４上に又はその直ぐ隣に配置される。図示されているように、シフト材料スコアライン９０は、容器クロージャ本体１２の需要者面１６に配置される。しかしながら、リリーフライン１０６には、容器クロージャ本体１２の製品面１４及び需要者面１６の何れかに又は両方に配置されたシフト材料スコアライン９０が含められることは理解される。
【００６９】
別の実施形態では、図７に示すように、シフト材料ライン３０は「混合シフト（mingled shift）」を有する。本明細書では、「混合シフト」は、シフト材料ライン３０が第１のセクション８０、移行セクション８２、及び第２のセクション８４を有する場合である。第１のセクション８０は、上述のように「上向きシフト」を有する。第２のセクション８４は、上述のように「下向きシフト」を有する。移行セクション８２は、第１のセクション８０と第２のセクション８４との間の部分であって、上述した「中立シフト」がある。
【００７０】
従って、シフト材料ライン３０は、リリーフライン１０６、シャーライン１０２、隠れシャーライン１０４、又はランスライン１００のうちの何れか１つである。更に、シフト材料ライン３０は、例示的な実施形態では、リリーフライン１０６、シャーライン１０２、隠れシャーライン１０４、及びランスライン１００のうちの２つ以上の組合せである。本明細書では、リリーフライン１０６、シャーライン１０２、隠れシャーライン１０４、及びランスライン１００のうちの２つ以上を含むシフト材料ライン３０は、「混合ライン」１１０とされる。
【００７１】
シフト材料ライン３０、或いは第１の部分３２及び第２の部分３４は、ごく僅かな（negligible）シフト（図１４）、最小シフト（図１３）、中程度シフト（図１２）、最大シフト（図１１）、又は離間シフト（図１０）のうちの１つを有する。「シフト」は、オフセットを測定する目的で、第１の部分３２及び第２の部分３４の各々の需要者面１６で測定される。本明細書では、「ごく僅かなシフト」は、第１の部分３２と第２の部分３４が、容器クロージャ本体１２の厚さの０％乃至１０％、又は約５％のオフセットを、シフト材料ライン３０において有することを意味する。例示的な実施形態では、リリーフライン１０６は、第１の部分３２と第２の部分３４の間に「ごく僅かなシフト」を有する。本明細書では、「最小シフト」は、第１の部分３２と第２の部分３４が、容器クロージャ本体１２の厚さの１０％〜２０％、又は約１５％のオフセットを、シフト材料ライン３０において有することを意味する。本明細書では、「中程度シフト」は、第１の部分３２と第２の部分３４が、容器クロージャ本体１２の厚さの２０％〜４０％、又は約３０％のオフセットを、シフト材料ライン３０において有することを意味する。本明細書では、「最大シフト」は、第１の部分３２と第２の部分３４が、容器クロージャ本体１２の厚さの４０％〜２５０％、又は約１００％のオフセットを、シフト材料ライン３０において有することを意味する。本明細書では、「離間シフト」とは、それらの境界において、第１の部分３２と第２の部分３４とが同一平面内になく、且つ分離していることを意味する。
【００７２】
先に定義したように、シフト材料ライン３０は、第１の部分３２と第２の部分３４を隔てる平面を規定する。即ち、シフト材料ライン３０における容器クロージャ本体１２の厚さは、本明細書では、「区分け面（plane of separation）」１３０である平面を規定する。即ち、区分け面１３０は、シフト材料ライン３０にて容器クロージャ本体１２を通る平面であって、即ち、図１４に示すように、容器クロージャ本体１２を断面で見ると見える平面である。更に、上記の例では、第１の部分３２及び第２の部分３４の各々は、略平らな部分として示されている。この構成では、区分け面１３０は、容器クロージャ本体１２の面に対してほぼ垂直である。本明細書では、区分け面１３０が容器クロージャ本体１２の平面に対してほぼ垂直である場合、それは、本明細書では、「垂直面」とされる。
【００７３】
図１５及び図１６に示された別の例示的な実施形態では、容器クロージャ本体１２は、斜め部分１４０を含んでおり、即ち、それを有するように形成されている。即ち、斜め部分１４０は、略平らな容器クロージャ本体１２の平面に対して傾いている。例示的な実施形態では、シフト材料ライン３０は、斜め部分１４０に配置されている。シフト材料ライン３０は、略平らな容器クロージャ本体１２の平面に対して斜め部分１４０を傾斜させる変形の前に、その最中に、又はその後に形成されてよい。シフト材料ライン３０が斜め部分１４０に配置されている場合、そして、ティアパネル２４が上向きシフトを有している場合、区分け面１３０は、本明細書では、「上向き面」とされる。シフト材料ライン３０が斜め部分１４０に配置されている場合、そして、ティアパネル２４が下向きシフトを有している場合、区分け面１３０は、本明細書では、「下向き面」とされる。区分け面１３０が、上向き面と下向き面の両方の部分を含む場合、その面は、本明細書では、「混合面」とされる。
【００７４】
図１７に示す例示的な実施形態では、第１の部分３２及び第２の部分３４は、略平らであるように示されており、先に定義したように、第１の部分３２と第２の部分３４とは、ある時点で互いに略平らであったはずである。別の例示的な実施形態では、第１の部分３２及び／又は第２の部分３４のどちらも略平らではない。例えば、図１７に示すように、第２の部分３４、即ちティアパネル２４はボタン６００として形成されている。即ち、図１７に示されているように、断面で見ると、第２の部分３４は、略曲線状又は略弓状となる。
【００７５】
更に、ある例示的な実施形態におけるシフト材料ライン３０は、限定ではないが、例えば食品缶用の容器クロージャ１０のように、ティアパネル２４周りに完全に延びることに留意のこと。別の例示的な実施形態では、シフト材料ライン３０は、限定ではないが、飲料缶用の容器クロージャ１０又は蓋１０のようにティアパネル２４の周りで完全に延びない。後者の実施形態では、第１の部分３２と第２の部分３４の間のシフトは、シフト材料ライン３０の端部でシフトしないように減少することは理解される。
【００７６】
例示的な実施形態では、容器開口部２０はシーラント１８０（即ち、シーリング材１８０）によって封止されている。故に、本明細書では、シーラント１８０は、容器開口部２０の一部として特定される。シーラント１８０は、実質的に流体を透過させないバリアを形成するように構成されており、実質的に流体を透過させない。本明細書では、「実質的に流体を透過させないバリア」は、流体が通過する通路をバリアが含まないことを意味する。「実質的に流体を透過させないバリア」は、流体が分子レベルでバリアを透過できないことを意味するものではない。例示的な実施形態では、図１７に示されているように、シーラント１８０は、容器開口部２０において容器クロージャ本体１２の製品面１４に塗布される。図示されていない他の例示的な実施形態では、シーラント１８０は、容器開口部２０においてクロージャ本体１２の需要者面１６に、又は、製品面１４及び需要者面１６の両方に塗布されることは理解される。例示的な実施形態では、シーラント１８０は、約０．０１０インチ乃至０．０３０インチ、約０．０１５インチ乃至０．０２５インチ、又は約０．０２０インチの厚さを有する。本明細書では、シーラント１８０の「厚さ」は、図１７に示すように、容器クロージャ本体１２の平面にほぼ垂直な方向で、且つシフト材料ライン３０に隣接する場所で測定され、ボタン６００によって規定される場所、即ち、シーラント１８０が配置される凹部をボタン６００が規定する場所では測定されない。更に、シーラントは、約０．０２０インチ、約０．０１０インチ、又は約０．００５インチの最小幅を有する。本明細書では、シーラント１８０の「幅」は、容器クロージャ本体１２の平面に略平行な方向で、且つシフト材料ライン３０から測定される。シーラント１８０は、シフト材料ライン３０からある方向に、他の方向よりも更に延びてもよいことは理解される。従って、「最小」幅は、シーラント１８０の量がより小さいシフト材料ライン３０の側に向かって測定される。
【００７７】
更に、例示的な実施形態では、容器クロージャ本体１２は、シフト材料ライン３０に隣接したシーラント凹部１８２を規定する。即ち、容器クロージャ本体１２は、シーラント１８０が塗布される容器クロージャ本体１２の側から延びる、つまり離れるように延びる突出部１８４を含んでいる。故に、シーラント１８０が容器クロージャ本体１２の製品面１４に塗布される例示的な実施形態では、突出部１８４は、容器クロージャ本体１２の製品面１４から延びている。シーラント凹部１８２は、概ねシフト材料ライン３０の周りに延びている。
【００７８】
次に、ボタン６００に加えてシフト材料ライン３０を有する蓋を形成するように構成されたプレスアセンブリ５１０を説明する。これは一例であって、図示されていない他のプレスは、飲料缶用クロージャ又は食品缶用クロージャを形成するように構成されていることは理解される。更に、この例では、以下に説明するツーリングアセンブリ５２０の形成要素の要素は、概ね円形であり、以下に説明する各ステーション５２６は中心線を有している。
【００７９】
例示的な実施形態では、図１９乃至図２７に概略的に示されているプレスアセンブリ５１０は、往復ラムアセンブリ５１２及びツーリングアセンブリ５２０を含む。ツーリングアセンブリ５２０は、上側ツーリング５２２及び下側ツーリング５２４を含む。上側ツーリング５２２はラムアセンブリ５１２に連結されており、上側ツーリング５２２は下側ツーリング５２４から離れている第１の位置と、上側ツーリング５２２が下側ツーリング５２４に隣接している又は接触している第２の位置との間で往復運動する。上側ツーリング５２２及び下側ツーリング５２４のサブコンポーネントは、それらの他の部分とは独立に動くことができるが、上側ツーリング５２２が第１の位置にある場合、ツーリングアセンブリ５２０は、ブランクを形成するようにブランクと係合しない。本明細書では、「成形する」とは、ブランクの形状を変化させることを意味する。ツーリングアセンブリ５２０又はその要素はブランクと係合して、ステーション５２６間でブランクを移動させる。
【００８０】
知られているように、フィードアセンブリ（図示せず）は、割出し（indexing）としても知られている間欠的なステップで、一連のツーリングアセンブリ５２０を通してブランクを移動させる。例示的な実施形態では、ブランクは、略円形の金属蓋である。ツーリングアセンブリ５２０は、幾つかのステーション５２６を含んでいる。ブランクが移動を停止する毎に、ブランクは、成形工程が起こっていない新たなステーション又は休止ステーション（図示せず）に配置される。例示的な実施形態では、本明細書で提供される実施例のように、ブランクは、ジャーにねじ連結される（ねじ込まれる）ように構成されたジャー用蓋である。知られているように、ブランクは、付随する側壁を備えた略平らな頂壁を含んでいる。付随する側壁は、カールしたリップを含む。付随する側壁の高さは、ブランクの高さを規定する。頂壁と側壁の交わりによって定義される平面は、本明細書では、チャイムライン（chime line）とされる。更に知られているように、例示的な実施形態では、ブランクには、略平らな中央パネルが形成されており、当該中央パネルは、チャイムラインに対して下方にオフセットしている。即ち、側壁の遠位端とチャイムラインの間のオフセット距離は、側壁の遠位端と中央パネルの平面との間のオフセット距離よりも大きい。例示的な実施形態では、ブランクの中央パネルの初期厚さは、約０．７７０インチ乃至０．７９０、又は約０．１８０インチである。知られているように、中央パネルと側壁の間の領域又は領域の一部は、弾性材料及び／又はシーリング材料で充填されてもよい。更に、知られているように、ブランクは、製品面（通常、ジャー内の製品に曝される）及び需要者面（通常、大気に曝される）を含む。例示的な実施形態では、ブランクは鋼である。
【００８１】
例示的な実施形態では、ブランクは略円形であって、中心を含んでいる。この実施形態では、バブル（即ち、第１及び第２のバブル）の中心は、ブランクの中心からずれている。故に、バブルがボタンに成形されると、ボタンの中心は、ブランクの中心に又は実質的にブランクの中心に配置される。別の実施形態では、ボタン６００、即ち円筒状角付ボタン６００の中心は、ブランクの中心に揃えられているか、その直上にある。この構成では、角付ボタンの高い点は、ドームの対応する表面と実質的に同じ位置に配置されていることに留意のこと。
【００８２】
例示的な実施形態では、ツーリングアセンブリ５２０は、ベントアセンブリ５９８を有する蓋５９６を形成するように構成されており、ベントアセンブリ５９８は、角付ボタン６００を含んでいる。即ち、例示的な実施形態では、ツーリングアセンブリ５２０は、幾つかの形成ステーション５３０を含んでおり、当該幾つかの形成ステーション５３０は、幾つかのバブル形成ステーション５４０と、幾つかのボタン形成ステーション５５０とに加えて、幾つかのスコアリング（scoring）ステーション５６０及び／又はシフト材料ラインステーション７００を含んでいる。スコアリングステーション５６０又はシフト材料ラインステーション５７０は、角付ボタン６００を含むティアパネル２４を規定する。幾つかのボタン形成ステーション５５０は、角付ボタン６００を形成するように構成されたステーションを含んでいる。
【００８３】
例示的な実施形態では、幾つかのバブル形成ステーション５４０は、第１のバブル形成ステーション５４２と第２のバブル形成ステーション５４４とを含む。第１のバブル形成ステーション５４２は、第１のバブル６１０（図１９Ｃ）を形成するように構成されており、第１のバブル６１０は、約０．７７０乃至０．７９０インチのドーム丸みと、０．１８０乃至０．２００インチのベース丸みとを有する。更に、例示的な実施形態では、第１のバブル形成ステーション５４２は、第１のバブルが約０．７８０インチのドーム丸みと、約１．１９０インチのベース丸みとを有する第１のバブルを形成するように構成されている。第２のバブル形成ステーション５４４は、図２０Ｃに示すように第１のバブルから第２のバブル６１２を形成するように構成されており、ここで、第２のバブルは、約０．５２０乃至０．５４０インチのドーム丸みと、約０．０７０乃至０．０９０インチのベース丸みとを有する。例示的な実施形態では、第２のバブル形成ステーション５４４は、第１のバブルから第２のバブルを形成するように構成されており、第２のバブルは、約０．５３０インチのドーム丸みと約０．０８０インチの丸みとを有する。各バブルは中心を有することに留意のこと。
【００８４】
例示的な実施形態では、幾つかのボタン形成ステーション５５０は、第１のボタンステーション５５２、第２のボタンステーション５５４、及び第３のボタンステーション５５６を含んでいる。第１のボタンステーション５５２は、バブル又はドームから潰れボタンを形成するように構成されている。更に、例示的な実施形態では、第１のボタンステーション５５２は、バブル又はドームから、中心を有する円筒形の潰れボタンを形成するように構成されている。更に、第１のボタンステーション５５２は、円筒形の潰れボタンの中心が第２のバブルの位置に対してオフセットされるように、円筒形の潰れボタン６０２を形成するように構成されている。更に、第１のボタンステーション５５２は、潰れボタン６０２の周りに配置される略平らな内側パネル６０４を形成するように構成されている。内側パネル６０４は、ブランクの中央パネルに対して下方にずれている。
【００８５】
例示的な実施形態では、第２のボタンステーション５５４は、ステップ、即ち下方にオフセットした段（tier）６０６を内側パネル６０４に形成するとともに、潰れボタン６０２から角付ボタン６００を形成するように構成されている。第３のボタンステーション５５６は、オフセット段６０６に対する角付ボタン６００の高さを増加させるように構成されている。例示的な実施形態では、角付ボタン６００は、オフセット段６０６に対して「制限された高さ」又は「非常に制限された高さ」の一方を有する。更に、幾つかのボタン形成ステーション５５０は、鋭い丸み又は非常に鋭い丸みのうちの１つを有する円筒形の角付ボタン６００を形成するように構成されている。
【００８６】
ある例示的な実施形態では、幾つかのスコアリングステーション５６０は、第１のスコアステーション５６２を含んでいる。第１のスコアステーション５６２は、約４０°乃至７０°の角度、又は例示的な実施形態では約５０°の角度を有する第１のスコアブレード５６３（又は主スコアブレード５６３）を含んでいる。例示的な実施形態では、第１のスコアブレード５６３は、上側ツーリング５２２に結合、直接結合、又は固定されている。例示的な実施形態では、幾つかのスコアリングステーション５６０のうちの少なくとも１つは、隆起アンビル５６６を含んでいる。本明細書では、「隆起（raised）アンビル」は、凸面を有するアンビルであって、ツーリングアセンブリ５２０が第２の位置にある場合に、当該凸面がスコアブレードに近接して配置されるように構成されている。隆起アンビル５６６は、図２４Ｅにおいて概略的に示されている。
【００８７】
例示的な実施形態では、隆起アンビル５６６は、下側ツーリング５２４に連結されている。第１のスコアブレード５６３は、ブランクに主スコア５６８を作るように構成されている。隆起アンビル５６６は、金属の剪断の問題、即ちスコアでの断裂の問題を解決する。
【００８８】
幾つかのスコアリングステーション５６０はまた、耐断裂（anti-fracture）スコアブレード５６７を含む。例示的な実施形態では、耐断裂スコアブレード５６７もまた第１のスコアステーション５６２にある。例示的な実施形態では、耐断裂スコアブレード５６７は、のみ型ノーズスコアブレードである。本明細書では、「のみ型ノーズ」スコアブレードは、断面で見ると、長辺５７２と、短辺５７４と、それら第１の辺と第２の辺の間に延びる横辺５７６とを含んでいる。「のみ型ノーズ」スコアブレードによって生成されたスコアを図２４Ｈに示す。耐断裂スコアブレード５６７は、ブランクに耐断裂スコア５６９を形成するように構成される。耐断裂スコア５６９は、主スコア５６８よりも深くない。
【００８９】
耐断裂スコアブレード５６７の別の実施形態を図２４Ｄに示す。ここで、耐断裂スコアブレード５６７は、第１のスコアブレード５６３から約０．０３０乃至０．０５０インチで、以下に示されるように約０．０４０インチで、又は先に定義されたような制限された間隔で配置される。
【００９０】
例示的な実施形態では、主スコア５６８は、制限された弧、実質的に制限された弧、又は非常に制限された弧の１つにわたって広がっている。更に、例示的な実施形態では、主スコア５６８は、角付ボタン６００の丸みから限られた距離又は非常に限られた距離のうちの１つにわたって配置されている。更に、例示的な実施形態では、主スコア５６８と耐断裂スコア５６９とは、限られた間隔又は非常に限られた間隔のうちの１つで離間している。
【００９１】
例示的な実施形態では、ツーリングアセンブリ５２０はまた、幾つかのエンボス加工ステーション５８０と、幾つかの縁曲げステーション５９０とを含んでいる。ある実施形態では、単一のエンボス加工ステーション５８０と縁曲げステーション５９０とがある。エンボス加工ステーション５８０は、オフセット段６０６に対して角付ボタン６００を上げるように構成されている。角付ボタン６００の頂部は、チャイムラインを超えては上げられない。更に、例示的な実施形態では、角付ボタン６００の頂部は中央パネルを超えては上げられない。別の例示的な実施形態では、縁曲げステーション５９０はなく、ボタン６００は縁曲げされていない。
【００９２】
例示的な実施形態では、ツーリングアセンブリステーション５２６は、先に特定された順序で配置される。即ち、ブランクは、バブル形成ステーション５４０、ボタン形成ステーション５５０、スコアリングステーション５６０の順序でそれらステーションを通って移動する。更に、含まれる場合には、スコアリングステーション５６０の後にエンボス加工ステーション５８０と縁曲げステーション５９０が続く。
【００９３】
別の実施形態では、ツーリングアセンブリ５２０は、スコアリングステーション５６０ではなく、又はそれに加えて、幾つかのシフト材料ラインステーション７００を含んでいる。各シフト材料ライン形成ステーション７００は、シフト材料ライン３０を形成するように構成されており、それを形成する。例示的な実施形態では、第１のシフト材料ラインステーション７０２は、ランスライン１００を形成するように構成されており、それを形成する。即ち、例示的な実施形態では、第１のシフト材料ラインステーション７０２はランスステーション７０４である。先に定義されたように、ランスライン１００は、蓋５９６の材料がシフト材料ライン３０で分離している場合のものであることは理解される。故に、以下に説明するように、第１のシフト材料ラインステーション７０２の要素は、蓋５９６の材料が分離するのに十分な距離を移動する。更に、シフト材料ラインステーション７００は、他の種類のシフト材料ライン３０、例えばシャーライン１０２用に構成されており、そのようなシフト材料ラインステーション７００の要素は、特定の種類のシフト材料ライン３０を形成するのに十分な距離を移動することは理解される。更に、隠れシャーライン１０４を形成するために、そのようなシフト材料ラインステーション７００の要素は、隠れシャーライン１０４を形成するようにして複数回往復運動するように構成される。
【００９４】
更に、図示の実施形態では、第１のシフト材料ラインステーション７０２は、上向きシフトを有する第１のセクション８０又はティアパネル２４を作るように構成されている。本明細書では、「内側」は、ブランクの中心を通過し、未成形ブランクの表面に対して略垂直な軸に対することを意味する。故に、第１のシフト材料ラインステーション７０２は、内側構成要素７１０及び外側構成要素７１２を含んでいる。図示の実施形態では、以下に説明する上側ツーリングの外側パンチ７２３と下側ツーリングの外側アンビル７２５とが、外側構成要素７１２である。内側構成要素７１０は、下側ツーリングの内側アンビル７２６と内側パンチ（図示せず）とを含んでいる。内側構成要素７１０及び外側構成要素７１２は、使用される場合には、概ね互いに向き合うか又は対向しており、ブランクと係合するように、ブランクをクランプ又は漸進的にクランプするように、又は、他の方法でブランクを形成するように構成されている。形成されるシフト材料ライン３０の種類次第では、先に特定した全ての内側構成要素７１０又は外側構成要素７１２が必要とされないことは理解される。例えば、図示の実施形態では、内側パンチは必要とされていない。
【００９５】
即ち、開示されている下側ツーリング５２４は、内側アンビル７２６を含んでいる。下向きシフトを有する第１のセクション８０又はティアパネル２４を形成するように構成された第１のシフト材料ラインステーション７０２は、上側ツーリング５２２の一部として内側パンチ（図示せず）を含むであろうことは理解される。更に、隠れシャーライン１０４を形成するように構成された第１のシフト材料ラインステーション７０２は、内側パンチ（図示せず）と内側アンビル７２６の両方を含むことになるであろう。
【００９６】
図示されている例示的な実施形態では、第１のシフト材料ラインステーション７０２は、ブランクにランスを形成する（lance）ように構成されたランスステーション７０４である。ランスステーション７０４は、上側ツーリング７２２及び下側ツーリング７２４を含む。例示的な実施形態では、上側ツーリング７２２は外側パンチ７２３を含んでおり、下側ツーリング７２４は、外側アンビル７２５及び内側アンビル７２６を含んでいる。外側アンビル７２５は、内側アンビル７２６の周りに延びている。外側パンチ７２３は、ブランクの中心から第１の半径に配置された形成面７３０を有している。図示されているように、例示的な実施形態では、外側パンチ形成面７３０は、略平らな第１の表面と、第１の表面に対して略直交しており、略平らな第２の表面とを含んでいる。本明細書では、ブランクと接触する内側構成要素７１０及び外側構成要素７１２の面は「形成面」である。故に、「形成面」の特徴（大きさ、形状など）は、特定の成形工程中のブランクとブランクの形状に依存する。外側アンビル７２５も、図示されているように、形成面７３２を含んでいる。外側アンビル形成面７３２もまた略平らであって、即ち、外側アンビル形成面７３２は概ね平面を規定している。同様に、内側アンビル７２６は形成面７３４を含んでいる。内側アンビル形成面７３４も略平らであって、即ち内側アンビル形成面７３４は概ね平面を規定している。
【００９７】
更に、外側パンチ形成面７３０の内側縁部７４０は、ステーション中心線から第１の半径に配置されている。外側アンビル７２５は、ステーション中心線から第２の半径に配置された第２の縁部７４２を有する。第２の半径は、第１の半径よりも大きいが、顕著に大きくされてはいない。内側アンビル７２６は、ステーション中心線から第３の半径に配置された第３の縁部７４４を有する。第３の半径は、第１の半径よりも小さいが、顕著に小さくされてはいない。この構成では、外側アンビル７２５と内側アンビル７２６の間にギャップがあることに留意のこと。
【００９８】
外側構成要素７１２（この実施形態では、外側パンチ７２３及び外側アンビル７２５）は、下側ツーリング形成面、即ち外側アンビル形成面７３２と内側アンビル形成面７３４とがほぼ平行である第１の形成位置と、下側ツーリング形成面、即ち外側アンビル形成面７３２が、内側アンビル形成面７３４に対してシフトしている第２の形成位置の間で、内側構成要素７１０（この実施形態では、内側アンビル７２６）に対して移動するように構成されており、そのように移動する。本明細書では、動詞「シフトしている」は、ブランクの平面又は容器クロージャ本体１２の平面に対して略直交する方向に動いていることを意味する。即ち外側構成要素７１２が第１の形成位置から第２の形成位置に動くと、内側アンビル形成面７３４に対する外側アンビル形成面７３２のシフトが起こる。更に、外側構成要素７１２が第１の位置から第２の位置に動くと、シフト材料ライン３０がブランク内に形成される。
【００９９】
即ち、動作中、外側パンチ７２３と外側アンビル７２５は互いに向かって移動し、ブランクと係合する。ある実施形態では、外側パンチ７２３及び外側アンビル７２５は、ブランクを「クランプ」する。本明細書では、「クランプ」とは、少なくとも一方向に材料を動かす（例えばスライドさせる）又は流がすことなく、材料、例えばブランクを実質的に一定の位置に固定することを意味する。従って、本明細書では、「クランプされた」材料は、少なくとも一方向に材料が動かない（例えばスライドしない）又は流れないように実質的に一定の位置に固定されて、例えば、外側パンチ７２３と外側アンビル７２５の間で移動しない／流れない。別の実施形態では、外側パンチ７２３及び外側アンビル７２５は、ブランクを「漸進的に（progressively）クランプする」。本明細書では、「漸進的にクランプする」とは、実質的に一定の位置に材料を固定する一方で、 材料が「漸進的にクランプされた」領域を通って少なくとも１つの方向に移動する（例えばスライドする）又は流動することを最初は可能にすることを意味する。係合の力が増すにつれて、「漸進的にクランプされた」領域を通って移動／流動する材料の量は、無視できる程度になるまで減少する。故に、本明細書では、「漸進的にクランプされた」材料は、実質的に一定の位置に固定される一方で、最初に「漸進的にクランプされた」後にある程度の材料の流れが許容されており、極めて僅かな量の材料のみが「漸進的にクランプされた」領域を通って移動／流動するようにして係合の力は増大する。
【０１００】
ブランクが係合され、クランプされ、又は漸進的にクランプされた後、図示の実施形態では、第２の部分３４（又はティアパネル２４）が上向きシフトを有することから、内側アンビル７２６は、上側ツーリング７２２に向かって移動する。図３４Ｂに示すように、この動作は、この実施形態では、ランスライン１００であるシフト材料ライン３０を生成する。故に、内側アンビル７２６は、第１の部分３２を第２の部分３４から分離するのに十分な距離だけ上側ツーリング７２２に向かって移動する。通常、シフト材料ライン３０を形成する成形構成要素は、シフト材料ライン３０においてごく僅かなシフト、最小シフト、中程度シフト、最大シフト、又は離間シフトを生じるのに十分な距離を移動する。これらの距離は夫々、 本明細書では、「ごく僅かな距離」、「最小距離」、「中程度距離」、「最大距離」、又は「離間距離」とされる。図示されている例示的な実施形態では、ランスライン１００を形成するために、内側アンビル７２６は、シフト材料ライン３０にて離間シフトを生じるのに十分な距離を移動する。
【０１０１】
上述のランスステーション７０４は、ブランクにランスライン１００を生じさせるように構成されており、それを生じさせる。その他のシフト材料ラインステーション７００は、リリーフライン、シャーライン、ランスライン、又は混合ラインのうちの１つを形成するように構成されており、それらを形成する。即ち、例えば、シフト材料ラインステーション７００と組み合わされた又はそれに続くスコアリングステーション５６０は、リリーフラインを形成するように構成されたシフト材料ラインステーション７００であろう。即ち、この実施形態では、スコアリングステーション５６０は、シフト材料ライン３０にスコアを形成するように構成されたリリーフスコアステーションであろう。
【０１０２】
ベントアセンブリを形成する方法は、以下の工程を含む。製品面１４と需要者面１６とを含んでおり、初期厚さを有する略平らな金属ブランクを準備する工程（１０００）と、角付ボタン６００を形成する工程（１１００）と、角付ボタン６００に隣接するスコアを形成する工程（１２００）と、スコアにシーリング材を塗布する工程（１３００）と。シーリング材は、例示的な実施形態では、プラスチゾルなどのプラスチック又はポリ材料であるが、これらに限定されない。
【０１０３】
略平らな金属ブランクを準備する工程（１０００）は、例示的な実施形態では、チャイムラインと、オフセットした略平らな中央パネルとを含むブランクを準備する工程（１００２）を含んでおり、中央パネルは、第１の方向にオフセットしている。
【０１０４】
例示的な実施形態では、角付ボタンを形成する工程（１１００）は、以下の工程の幾つかを含んでいる。中心を含むバブルを形成する工程（１１０２）と、そのバブルから中心を有する潰れボタンを形成する工程（１１０４）。潰れボタンの中心はバブルの中心からオフセットしている。約０．７７０乃至０．７９０インチのドーム丸みと、約０．１８０乃至０．２００インチのベース丸みとを有する第１のバブルを形成する工程（１１０６）と、第１のバブルから、約０．５２０乃至０．５４０インチのドーム丸みと、約０．０７０乃至０．０９０インチのベース丸みとを有する第２のバブルを形成する工程（１１０８）。第２のバブルから潰れボタンを形成する工程（１１１０）は、潰れボタンから角付ボタンを形成する工程（１１１２）を含む。例示的な実施形態では、第２のバブルから潰れボタンを形成する工程（１１１０）は、円筒形の潰れボタンを形成する工程（１１１１）を含む。同様に、例示的な実施形態では、潰れボタンから角付ボタンを形成する工程（１１１２）は、円筒形の角付ボタンを形成する工程（１１１３）を含む。円筒形の角付ボタンを形成する工程（１１１３）は、鋭いベース丸み又は非常に鋭いベース丸みのうちの１つを有する円筒形の角付ボタンを形成する工程（１１２０）と、限定された高さを有する角付ボタンを形成する工程（１１３０）とを含んでいる。更に、内側パネルを形成する工程（１１４０）であって、内側パネルは、ブランクの中央パネルよりも、チャイムラインからより大きな距離で第１の方向にオフセットしている工程と、チャイムラインを超えない、制限された高さの角付ボタンを形成する工程（１１５０）と、ブランクの中央パネルを超えない、制限された高さの角付ボタンを形成する工程（１１５２）とがある。更に、中央パネルと内側パネルの間にビードを形成する工程（１１６０）と、内側パネルに対して角付ボタンを上げる工程（１１７０）とがある。即ち、本明細書では、「上げる（raising）」は、先のオフセットとは反対の方向にオフセットを生じさせることを意味する。例示的な実施形態では、本発明の方法は、角付ボタンを縁曲げしないこと（１１８０）を含む。即ち、本明細書では、「縁曲げしない」とは、角付ボタン６００が縁曲げされていない旨の否定的な記載である。
【０１０５】
例示的な実施形態では、角付ボタンに隣接してスコアを形成する工程（１２００）は、主スコアを形成する工程（１２０２）を含んでおり、主スコアは、円筒形の角付ボタンのベース丸みから制限された距離又は非常に制限された距離のうちの１つに配置されている。更に、例示的な実施形態では、角付ボタンに隣接してスコアを形成する工程（１２００）は、主スコアを形成する工程（１２０４）であって、主スコアは、円筒形の角付ボタンのベース丸みから第１の距離に配置された工程と、耐断裂スコアを形成する工程（１２０６）であって、耐断裂スコアは、主スコアから制限された間隔又は主スコアから非常に制限された間隔のうちの１つを有する工程と、最小スコア残余又は制限されたスコア残余のうちの１つを有するように構成されたスコアを形成する工程（１２０８）とがある。
【０１０６】
更に、上述のプレスアセンブリ５１０を使用し、図３５Ｄに示すように、上述のように容器クロージャ１０を形成する方法は、製品面１４と需要者面１６を含んでおり、初期厚さを有する略平らな金属ブランクを準備する工程（１４００）と、容器開口部を規定するシフト材料ラインを形成する工程（１４０２）とを含んでいる。例示的な実施形態では、シフト材料ラインを形成する工程（１４０２）は、シフト材料ラインにてシーリング材を塗布する工程（１４１０）を含む。更に、例示的な実施形態では、シフト材料ラインを形成する工程（１４０２）は、リリーフライン、シャーライン、隠れシャーライン、ランスライン、又は混合ラインのうちの１つを形成する工程（１４２０）を含む。更に、例示的な実施形態では、シフト材料ラインを形成する工程（１４０２）は、ブランクにティアパネル及びエンドパネルを規定する工程（１４５０）と、ティアパネルを上向き位置、通常位置（normal position）、下向き位置、又は混合位置のうちの１つに移動させる工程（１４５２）とを含んでいる。
【０１０７】
容器クロージャ１０、シフト材料ライン３０に加えて、それらの各実施形態、プレスアセンブリ５１０、シフト材料ライン形成ステーション７００、並びに、開示された方法は、上述の問題を解決する。
【０１０８】
本発明の特定の実施形態を詳細に説明したが、本開示の全体的な教示を踏まえてこれらの詳細に対する様々な変更及び代替物を開発できることは、当業者には理解されよう。従って、開示された特定の構成は、例示のみを目的としており、添付の特許請求の範囲の全範囲と、その何れか及び全ての均等物に与えられる本発明の範囲を限定するものではない。
【図１】
2019529259.tif 000003
【図２】
2019529259.tif 000004
【図３】
2019529259.tif 000005
【図４】
2019529259.tif 000006
【図５】
2019529259.tif 000007
【図６】
2019529259.tif 000008
【図７】
2019529259.tif 000009
【図８】
2019529259.tif 000010
【図９】
2019529259.tif 000011
【図１０】
2019529259.tif 000012
【図１１】
2019529259.tif 000013
【図１２】
2019529259.tif 000014
【図１３】
2019529259.tif 000015
【図１４】
2019529259.tif 000016
【図１５】
2019529259.tif 000017
【図１６】
2019529259.tif 000018
【図１７】
2019529259.tif 000019
【図１８】
2019529259.tif 000020
【図１８Ａ】
2019529259.tif 000021
【図１９】
2019529259.tif 000022
【図１９Ａ】
2019529259.tif 000023
【図１９Ｂ】
2019529259.tif 000024
【図１９Ｃ】
2019529259.tif 000025
【図２０】
2019529259.tif 000026
【図２０Ａ】
2019529259.tif 000027
【図２０Ｂ】
2019529259.tif 000028
【図２０Ｃ】
2019529259.tif 000029
【図２０Ｄ】
2019529259.tif 000030
【図２０Ｅ】
2019529259.tif 000031
【図２１】
2019529259.tif 000032
【図２１Ａ】
2019529259.tif 000033
【図２１Ｂ】
2019529259.tif 000034
【図２１Ｃ】
2019529259.tif 000035
【図２１Ｄ】
2019529259.tif 000036
【図２２】
2019529259.tif 000037
【図２２Ａ】
2019529259.tif 000038
【図２２Ｂ】
2019529259.tif 000039
【図２３】
2019529259.tif 000040
【図２３Ａ】
2019529259.tif 000041
【図２３Ｂ】
2019529259.tif 000042
【図２４】
2019529259.tif 000043
【図２４Ａ】
2019529259.tif 000044
【図２４Ｂ】
2019529259.tif 000045
【図２４Ｃ】
2019529259.tif 000046
【図２４Ｄ】
2019529259.tif 000047
【図２４Ｅ】
2019529259.tif 000048
【図２４Ｆ】
2019529259.tif 000049
【図２４Ｇ】
2019529259.tif 000050
【図２４Ｈ】
2019529259.tif 000051
【図２４Ｉ】
2019529259.tif 000052
【図２５】
2019529259.tif 000053
【図２６】
2019529259.tif 000054
【図２６Ａ】
2019529259.tif 000055
【図２６Ｂ】
2019529259.tif 000056
【図２７】
2019529259.tif 000057
【図２７Ａ】
2019529259.tif 000058
【図２７Ｂ】
2019529259.tif 000059
【図２８Ａ】
2019529259.tif 000060
【図２８Ｂ】
2019529259.tif 000061
【図２８Ｃ】
2019529259.tif 000062
【図２８Ｄ】
2019529259.tif 000063
【図２８Ｅ】
2019529259.tif 000064
【図２８Ｆ】
2019529259.tif 000065
【図２８Ｇ】
2019529259.tif 000066
【図２８Ｈ】
2019529259.tif 000067
【図２９】
2019529259.tif 000068
【図３０】
2019529259.tif 000069
【図３０Ａ】
2019529259.tif 000070
【図３１】
2019529259.tif 000071
【図３２】
2019529259.tif 000072
【図３３】
2019529259.tif 000073
【図３４】
2019529259.tif 000074
【図３４Ａ】
2019529259.tif 000075
【図３４Ｂ】
2019529259.tif 000076
【図３４Ｃ】
2019529259.tif 000077
【図３４Ｄ】
2019529259.tif 000078
【図３５Ａ】
2019529259.tif 000079
【図３５Ｂ】
2019529259.tif 000080
【図３５Ｃ】
2019529259.tif 000081
【図３５Ｄ】
2019529259.tif 000082
【国際調査報告】
2019529259.tif 000083